(57)【特許請求の範囲】
【請求項１】
建物の屋上等に形成されたパラペットの笠木部に取付けられ、前記屋上等に設置される照明器具等を支持するための支持具であって、
前記笠木部の幅方向における両端部と係合する一対のクランプ体と、前記クランプ体により笠木部を幅方向で挟持すべく、両クランプ体に貫挿してこれらを連結する連結ボルトと、照明器具等を支持するための支持手段とを備え、
前記クランプ体には、笠木部を押圧すべく該笠木部の厚さ方向に進退自在な押圧ボルトが螺通されてなることを特徴とする照明器具等の支持具。
【請求項２】
前記クランプ体は、前記押圧ボルトが笠木部の上面を押圧すべく螺通されてなるとともに、該笠木部の下面に係合する係合部を備えてなることを特徴とする請求項１に記載の照明器具等の支持具。
【請求項３】
前記支持手段は、クランプ体の上部に形成されてなることを特徴とする請求項１または請求項２に記載の照明器具等の支持具。
【請求項４】
前記支持手段は、両端部がクランプ体に貫通され、該両端部に螺合されたナットの絞め付けにより、照明器具等のポ−ル部を支持するＵ字部材で構成されてなることを特徴とする請求項３に記載の照明器具等の支持具。
【発明の詳細な説明】
【０００１】
【産業上の利用分野】
本発明は、主に、建物の屋上から吊設された広告等の看板を照らすための照明器具を設置するため、該屋上のパラペットの笠木部に取り付けられ、前記照明器具を支持する支持具に関するものである。
【０００２】
【従来の技術】
建物の屋上周縁には落下防止のためのパラペットが形成されており、図４に示すように、該パラペット６の上部にはその立上部６２に沿って幅方向に突出する笠木部６１が形成されているのが一般的で、当該笠木部６１は通常、金属板を曲げ形成したものを前記立上部６２の上面に固定して形成されている。
【０００３】
そして従来より、屋上から吊設された広告等の看板を照らすための照明器具９を該屋上に設置するには、図４に示すように、照明器具９のポ−ル部９１を固定サドル９２を使用して前記パラペット６の笠木部６１上面にビス等により固定していた。
【０００４】
しかしながら前記従来の設置方法にあっては、前記笠木部６１にビス貫通孔を穿設しなければならず、その穿孔作業が面倒であり、また当該穿孔が笠木部６１の強度を低下させるおそれがあると共に、前記貫通孔から雨水等が浸透して笠木部６１のサビ付きの原因となっており、照明器具９等の笠木部６１への固定強度の信頼性が問題となっていた。
【０００５】
【発明が解決しようとする課題】
本発明は、前記従来の問題点を解決するとともに、笠木部への照明器具の設置が簡単で、しかも照明器具を堅固に支持することができる建物の屋上等に設置される照明器具等の支持具を提供せんとするものである。
【０００６】
【課題を解決するための手段】
請求項１の発明に係る照明器具の支持具は、建物の屋上等に形成されたパラペットの笠木部に取付けられ、前記屋上等に設置される照明器具等を支持するための支持具であって、前記笠木部の幅方向における両端部と係合する一対のクランプ体と、前記クランプ体により笠木部を幅方向で挟持すべく、両クランプ体に貫挿してこれらを連結する連結ボルトと、照明器具等を支持するための支持手段とを備え、前記クランプ体には、笠木部を押圧すべく該笠木部の厚さ方向に進退自在な押圧ボルトが螺通されてなることを特徴とするものである。
かかる支持具によれば、パラペットの笠木部の幅方向における両端部に一対のクランプ体を係合させ、連結ボルトにより両クランプ体を互いに引き寄せて該笠木部を幅方向で挟持するとともに、押圧ボルトにより該笠木部を押圧して該笠木部を厚さ方向で保持することにより、簡単かつ堅固に該笠木部に取り付けることができる。
【０００７】
また請求項２の発明に係る照明器具の支持具は、前記クランプ体は、前記押圧ボルトが笠木部の上面を押圧すべく螺通されてなるとともに、該笠木部の下面に係合する係合部を備えてなることを特徴とするものである。
かかる支持具によれば、笠木部の上面が幅方向において傾斜して形成されている場合であっても、押圧ボルトが前記傾斜に応じた量だけ螺進して、笠木部下面に係合部を密接させるべく該笠木部上面を押圧して取り付けられるため、該笠木部の上面が傾斜して形成されていても照明器具を水平に支持することができる。
【０００８】
また請求項３の発明に係る照明器具の支持具は、前記支持手段は、クランプ体の上部に形成されてなることを特徴とするものである。
かかる支持具によれば、笠木部に堅固に取り付けられたクランプ体に照明器具を支持させる構成であるため、照明器具を堅固に支持することができる。
【０００９】
また請求項４の発明に係る照明器具の支持具は、前記支持手段は、両端部がクランプ体に貫通され、該両端部に螺合されたナットの絞め付けにより、照明器具のポ−ル部を支持するＵ字部材で構成されてなることを特徴とするものである。
かかる支持具によれば、ナットの絞め付け具合を調節することにより、種々の径のポ−ル部を備えた照明器具をＵ字部材で挟持して支持することができる。
【００１０】
【発明の実施の形態】
以下、本発明の実施例を図に基づいて詳細に説明する。図１は本発明の支持具を示す正面図であり、図２は同側面図であり、図３はこの支持具をパラペットの笠木部に取り付けて照明器具を支持させた状態を示す正面図である。
図において支持具１は、笠木部６１の幅方向における両端部と係合する一対のクランプ体２と、前記両クランプ体２に貫挿されてこれらを連結する連結ボルト３と、前記クランプ体２の上面に両端が貫通されたＵ字部材４と、前記クランプ体２に螺通された押圧ボルト５とから構成されている。
【００１１】
前記一対のクランプ体２は、金属板が折り曲げられて形成されてなり、笠木部６１の上方に配置される第一上板部２１と、該笠木部６１の側方に配置される第一側板部２２と、笠木部６１の下方に配置される下板部２３とを備えており、第一上板部２１と下板部２３との間隔は、笠木部６１の厚さより大きく設けられている。
そして前記第一上板部２１には螺孔２６が設けられてなり、該螺孔２６に押圧ボルト５が上方から進退自在に螺通されている。尚、本実施例において該螺孔２６は、第一上板部２１上面に溶接によりナット２７が取着されることにより設けられている。
またクランプ体２は、前記第一上板部２１の端部から上方に向けて第二側板部２４が延設されてなり、さらに前記第二側板部２４の端部から内方に向けて第二上板部２５が略水平に延設されている。尚、本実施例においてクランプ体２の各屈曲部には、補強のためのリブが形成されている。
【００１２】
連結ボルト３は、少なくとも両端部に雄ねじが形成された金属棒により構成されてなり、前記一対のクランプ体２の第二側板部２４に対向して設けられた透孔に貫通され、前記雄ねじに第一ナット７が螺合されて両クランプ体２を相互に連結している。
【００１３】
またＵ字部材４は、少なくとも両端部に雄ねじが形成された金属棒により構成されてなり、前記両端部がクランプ体２の第二上板部２４に上方から貫通され、前記雄ねじに第二ナット８が螺合されている。
このＵ字部材４は、本発明において照明器具等を支持するための支持手段に該当するものであり、主に照明器具９のポ−ル部９１を第二ナット８の絞付けにより挟持して、これを支持するものである。
尚、本実施例においては、前記第一ナット７及び第二ナット８は、前記各雄ねじに対し二個螺合することにより、これらが緩むのを防止している。
【００１４】
而して、上記支持具１を笠木部６１に取り付けるには、図３に示すように一対のクランプ体２を笠木部６１の幅方向における両端部に係合させ、連結ボルト３に対し第一ナット７を絞め付けてクランプ体２により笠木部６１を幅方向で挟持する。
その後、第一上板部２１に螺合された押圧ボルト５を絞め付けて笠木部６１の上面を押圧し、下板部２３を笠木部６１下面に当接させて該笠木部６１を保持することにより、支持具１を笠木部６１に堅固に取り付けることができる。この場合、下板部２３が請求項２でいう係合部に該当する。
【００１５】
ここで笠木部６１は図３に示すように、その上面が傾斜して設けられることが多いが、押圧ボルト５は前記傾斜に応じた量だけ螺進して、笠木部６１下面に下板部２３を当接させるべく笠木部６１上面を押圧するため、笠木部６１上面が傾斜していても照明器具９を略水平に支持することができる利点がある。
【００１６】
その後、照明器具９のポ−ル部９１にＵ字部材４を外嵌させ、第二ナット８を絞め付けることにより該ポ−ル部９１を挟持して、照明器具９を支持具１に支持させることができる。
この際、Ｕ字部材４に対する第二ナット８の絞め付け具合を調整することにより、種々の径のポ−ル部を備えた照明器具の支持が可能である。
【００１７】
以上に述べたように、上記実施例に記載の支持具１にあっては、パラペット６の笠木部６１の幅方向における両端部に一対のクランプ体２を係合させ、連結ボルト３により両クランプ体２を互いに引き寄せて該笠木部６１を幅方向で挟持するとともに、押圧ボルト５により該笠木部６１を押圧して該笠木部６１を厚さ方向で保持することにより、該支持具１を簡単かつ堅固に該笠木部６１に取り付けることができる。
【００１８】
また、笠木部６１の上面が幅方向において傾斜して形成されている場合であっても、押圧ボルト５が前記傾斜に応じた量だけ螺進して、笠木部６１下面に係合部である下板部２３を密接させるべく該笠木部６１上面を押圧して取り付けられるため、該笠木部６１の上面が傾斜して形成されていても照明器具９を水平に支持することができる。
【００１９】
また、笠木部６１に堅固に取り付けられたクランプ体２に照明器具９を支持させる構成であるため、照明器具９を笠木部６１に堅固に支持することができる。
【００２０】
また、Ｕ字部材４の端部に螺合された第二ナット８の絞め付け具合を調節することにより、種々の径のポ−ル部を備えた照明器具をＵ字部材４で挟持して支持することができる。
【００２１】
尚、本発明の支持具にあっては、その趣旨を逸脱しない範囲で上記実施例に記載した以外の構成で適宜実施が可能である。
例えば、クランプ体の幅方向の両端を内方に折曲げ、当該折曲げられた端面が笠木部と当接するように構成してもよく、さらにクランプ体は板状体でなくともよい。
【００２２】
また前記実施例において押圧ボルトは、第一上板部に螺通して設けられてなるが下板部に螺通させてもよく、この場合は第一上板部が笠木部上面に当接して請求項２でいう係止部として作用する。
【００２３】
さらに連結ボルトは、両端に第一ナット７が螺合される構成であるが、一端に透孔２７に対し抜止めとなる頭部を備えたボルトを使用すれば、一端にのみ第一ナット７が螺合する構成としてもよい。
【００２４】
また本発明でいう支持手段とは、実施例のＵ字部材４に限らず、照明器具を支持し得る手段であれば、その構成は何等限定されない。
【００２５】
【発明の効果】
本発明の支持具によれば、パラペットの笠木部の幅方向における両端部に一対のクランプ体を係合させ、連結ボルトにより両クランプ体を互いに引き寄せて該笠木部を幅方向で挟持するとともに、押圧ボルトにより該笠木部を押圧して該笠木部を厚さ方向で保持することにより、簡単かつ堅固に該笠木部に取り付けることができる。
【００２６】
また、笠木部の上面が幅方向において傾斜して形成されている場合であっても、押圧ボルトが前記傾斜に応じた量だけ螺進して、笠木部下面を係合部に密接させるべく該笠木部上面を押圧して取り付けられるため、該笠木部の上面が傾斜して形成されていても照明器具を水平に支持することができる。
【００２７】
また、笠木部に堅固に取り付けられたクランプ体に照明器具を支持させる構成であるため、照明器具を笠木部に堅固に支持することができる。
【００２８】
また、ナットの絞め付け具合を調節することにより、種々の径のポ−ル部を備えた照明器具をＵ字部材で挟持して支持することができる。
【図面の簡単な説明】
【図１】図１は、本発明の一実施例の支持具を示す正面図である。
【図２】図２は、図１の支持具を示す側面図である。
【図３】図３は、図１の支持具を笠木部に取り付けて照明器具を支持させた状態を示す正面図である。
【図４】図４は、従来において、照明器具を笠木部に取り付けた状態を示す断面図である。
【符号の簡単な説明】
１    支持具
２    クランプ体
３    連結ボルト
４    Ｕ字部材
５    押圧ボルト
６    パラペット
９    照明器具
６１  笠木部
【図１】
0003917696.tif 000002
【図２】
0003917696.tif 000003
【図３】
0003917696.tif 000004
【図４】
0003917696.tif 000005